(57)【要約】【課題】投入物品の盗難を容易に抑制することの可能な物品収受装置を提供する。【解決手段】本発明の物品収受装置は、物品Ｇ１，Ｇ２を投入するための投入口１１を前面に有するボックス本体１０と、投入口１１からボックス本体１０内に投入される物品Ｇ１，Ｇ２のうち所定のサイズ以上のサイズを有する物品Ｇ２の投入方向における後端側を支持するように、ボックス本体１０内の空間をボックス本体の幅方向に延在する柱状の延在部１６と、を備える。【選択図】図４
2017113192.tif 000002
【特許請求の範囲】
【請求項１】
物品を投入するための投入口を前面に有するボックス本体と、
前記投入口から前記ボックス本体内に投入される物品のうち所定のサイズ以上のサイズを有する物品の投入方向における後端側を支持するように、前記ボックス本体内の空間で前記ボックス本体の幅方向に延在する柱状の延在部と、を備えることを特徴とする物品収受装置。
【請求項２】
前記延在部は、前記ボックス本体の長さ方向中央部よりも前記投入口側に設けられていることを特徴とする請求項１に記載の物品収受装置。
【請求項３】
前記延在部は、上端が、前記投入口の下端部から前記物品の投入方向に延びる面以下に位置するように設けられていることを特徴とする請求項１又は２に記載の物品収受装置。
【請求項４】
前記延在部は、前記ボックス本体の幅方向に間隔をおいて対向するように前記ボックス本体の幅方向両端側に設けられた一対の突起状に形成されていることを特徴とする請求項１〜３の何れか１項に記載の物品収受装置。
【発明の詳細な説明】
【技術分野】
【０００１】
本発明は、例えば宅配物や郵便物等の物品の収受に用いられる物品収受装置に関する。
【背景技術】
【０００２】
従来、物品収受装置は、宅配物や郵便物等の物品を受け取るために用いられており、各家庭あるいは集合住宅に設けられている。物品収受装置は、戸建の場合には、門柱に埋め込まれたり、あるいは地上に設置された柱上に固定されており、集合住宅の場合には、居住者の数に応じて縦横に数列に亘って配置されている。
【０００３】
近年、配達対象となる物品が多様化、大型化しており、これに応じて、物品収受装置の投入口のサイズが大きく形成されている。ここで、例えば図８に示すように、投入口から投入された大型物品や小型物品が、物品収受装置を構成するボックス本体内で上下に積み重ねられている場合には、サイズが大型化した投入口に手を差し入れることによって、ボックス本体内に投入された物品（図８の例では、大型物品の上方に積み重ねられた小型物品）が盗まれる虞がある。
【０００４】
そこで、特許文献１には、投入物品の盗難を抑制するための技術が開示されている。特許文献１に記載された技術では、ボックス本体の前面上部に開口された投入口と、投入口からの手の差し入れを阻止する盗難防止処置と、投入口の下方に投入口とは独立して開口され、葉書や封書等の薄手の配達物が投入されるスリットと、を備え、大型の配達物が投入口に投入された場合には、盗難防止処置によって、大型の配達物の盗難を抑制し、薄手の配達物がスリットに投入された場合には、盗難防止処置や盗難防止処置に引っ掛かった大型の配達物によって、薄手の配達物の盗難を抑制するようになっている。
【先行技術文献】
【特許文献】
【０００５】
【特許文献１】特開２００１−０２９２１４号公報
【発明の概要】
【発明が解決しようとする課題】
【０００６】
しかしながら、特許文献１に記載された技術では、葉書や封書等の薄手の配達物を投入するためのスリットを別途設ける必要があるので、製造コストが嵩む虞があった。また、大型の配達物によって投入口が閉塞されている場合には、スリットより大きいサイズの配達物を投入することが困難であった。
【０００７】
本発明は上記課題に鑑みてなされたものであり、投入物品の盗難を容易に抑制することの可能な物品収受装置を提供することを目的とする。
【課題を解決するための手段】
【０００８】
上記課題を解決するために、本発明は、物品を投入するための投入口を前面に有するボックス本体と、前記投入口から前記ボックス本体内に投入される物品のうち所定のサイズ以上のサイズを有する物品の投入方向における後端側を支持するように、前記ボックス本体内の空間で前記ボックス本体の幅方向に延在する柱状の延在部と、を備えることを特徴とする（発明１）。
【０００９】
かかる発明（発明１）によれば、所定のサイズ以上のサイズを有する物品（大型物品）がボックス本体内に投入された場合には、大型物品は、投入方向後端側が延在部に支持されることによって、投入方向に向かって下方に傾斜するように収容される。また、大型物品の収容後に小型物品が投入された場合には、投入された小型物品は、延在部に支持されることなく、傾斜支持された大型物品の下方のスペースに収容される。したがって、ボックス本体の幅方向に延在する柱状の延在部を設けたことによって、大型物品と小型物品とが互いに積み重ねられる可能性を低減することができるので、ボックス本体内に投入された物品が積み重ねられたことに起因して投入物品の盗難が発生するのを容易に抑制することができる。
【００１０】
上記発明（発明１）においては、前記延在部は、前記ボックス本体の長さ方向中央部よりも前記投入口側に設けられているのが好ましい（発明２）。
【００１１】
かかる発明（発明２）によれば、例えば、延在部がボックス本体の背面側に設けられている場合と比較して、大型物品の投入方向後端側を容易に支持することが可能になるので、大型物品と小型物品とが互いに積み重ねられる可能性をより低減することができる。
【００１２】
上記発明（発明１，２）においては、前記延在部は、上端が、前記投入口の下端部から前記物品の投入方向に延びる面以下に位置するように設けられているのが好ましい（発明３）。
【００１３】
かかる発明（発明３）によれば、延在部が、ボックス本体内に投入されている物品の進路上の障害物となるのを抑制することができるので、物品をボックス本体内にスムーズに投入することができる。
【００１４】
上記発明（発明１〜３）においては、前記延在部は、前記ボックス本体の幅方向に間隔をおいて対向するように前記ボックス本体の幅方向両端側に設けられた一対の突起状に形成されているのが好ましい（発明４）。
【００１５】
かかる発明（発明４）によれば、ボックス本体の幅方向のサイズが各延在部間の間隔よりも大きい物品を大型物品として支持することができ、これ以外の物品を小型物品として延在部の下方に積み重ねることができる。したがって、大型物品と小型物品とが互いに積み重ねられる可能性をさらに低減することができる。
【発明の効果】
【００１６】
本発明の物品収受装置によれば、投入物品の盗難を容易に抑制することができる。このため、本発明の物品収受装置は、セキュリティの高い物品収受装置として有用である。
【図面の簡単な説明】
【００１７】
【図１】本発明の一実施形態に係る物品収受装置の外観を示した斜視図である。
【図２】物品収受装置の正面図である。
【図３】図２のＡ−Ａ線断面図である。
【図４】（ａ）〜（ｄ）は、物品が物品収受装置に収容されるまでの流れを説明する図である。
【図５】（ａ）〜（ｂ）は、変形例に係る物品収受装置の正面図である。
【図６】（ａ）〜（ｃ）は、他の変形例に係る物品収受装置の正面図である。
【図７】他の変形例に係る物品収受装置の外観を示した斜視図である。
【図８】従来の物品収受装置における物品の収容状態の一例を説明する図である。
【発明を実施するための形態】
【００１８】
以下、本発明の一実施形態について添付図面を参照して詳細に説明する。ただし、この実施形態は例示であり、本発明はこれに限定されるものではない。
【００１９】
図１は、本発明の一実施形態に係る物品収受装置の外観を示した斜視図である。図２は、物品収受装置の正面図である。図３は、図２のＡ−Ａ線断面図である。本実施形態に係る物品収受装置は、例えば宅配物（例えば、宅配業者によって配達される荷物や、新聞、広告ビラ、回覧板等を含む）や郵便物等の物品を収受するための装置であって、図１に示すように、矩形の箱状に形成されたボックス本体１０で構成されている。
【００２０】
ボックス本体１０は、例えば、金属（例えばアルミニウム、ステンレス等の合金を含む）や硬質のプラスチック等から構成されており、例えば一枚又は複数枚のプレートを折り曲げて溶接することにより、図１に示すような矩形の箱状に形成されている。
【００２１】
ボックス本体１０の前面には、物品を投入するための投入口１１と、投入口１１の背面側において投入口１１を開閉する開閉蓋１２と、投入口１１の背面側の下端に設けられたガイドプレート１３と、が設けられている。
【００２２】
開閉蓋１２は、ボックス本体１０と同様の材料から構成されており、開閉蓋１２の回動軸は、ガイドプレート１３の垂直上方であってボックス本体１０の内側面に設けられている。
【００２３】
開閉蓋１２は、自重あるいはスプリング（図示省略）の付勢力によりガイドプレート１３の上面に当接して投入口１１を塞ぐように、又は、該付勢力に抗してガイドプレート１３の上面から離れて投入口１１を開放するように、回動軸を中心に回動するように取り付けられている。
【００２４】
ガイドプレート１３は、ボックス本体１０と同様の材料から構成されており、投入口１１の背面側の下端からボックス本体１０内に向かって上方に傾斜するように延在する上端部と、投入口１１の背面側の下端においてボックス本体１０の内側面に取り付けられた下端部とを有している。
【００２５】
ガイドプレート１３は、上端部が投入口１１の下端からボックス本体１０内に向かって上方に傾斜するように延在するように形成されているので、投入口１１からボックス本体１０内に手を入れたりあるいは道具を入れることにより、ボックス本体１０内に投入された物品が抜き取られるのを抑制することができ、物品の盗難の防止に寄与する。
【００２６】
ボックス本体１０の背面には、ボックス本体１０内に収容された物品を取り出すための取出口１４が形成されており、取出口１４には、取出口１４を開閉するための取出蓋１５が取り付けられている。取出蓋１５は、例えばダイヤル錠等の施錠装置（図示省略）を備え、施錠装置の開錠／施錠を行うことにより、取出口１４を開閉してもよい。
【００２７】
ボックス本体１０内の空間の幅方向（図中Ｘ方向）両側の内側面には、ボックス本体１０の幅方向（図中Ｘ方向）に延在する柱状の延在部１６が設けられている。また、延在部１６は、ボックス本体１０の前面及び背面の各々からボックス本体１０の長さ方向（図中Ｙ方向）に間隔をおくとともに、ボックス本体１０の上面及び底面の各々からボックス本体の高さ方向（図中Ｚ方向）に間隔をおいて設けられている。延在部１６は、ボックス本体１０と同様の材料から構成されており、投入口１１からボックス本体１０内に投入される物品（図４に示す小型物品Ｇ１及び大型物品Ｇ２）のうち所定のサイズ以上のサイズを有する物品（本実施形態の例では大型物品Ｇ２）の投入方向における後端側を支持するためのものである。また、延在部１６は、円柱状に形成されてもよいし、多角柱状に形成されてもよい。さらに、延在部１６は、ボックス本体１０の幅方向に亘って太さが変化するように形成されてもよい。
【００２８】
また、図２に示すように、延在部１６は、ボックス本体１０の幅方向に間隔Ｗをおいて対向するようにボックス本体１０の幅方向両端側に設けられた一対の突起状に形成されてもよい。この場合、ボックス本体１０の幅方向のサイズが各延在部１６間の間隔Ｗよりも大きい物品を大型物品Ｇ２として支持することができ、これ以外の物品を小型物品Ｇ１として延在部１６の下方に積み重ねることができる。したがって、大型物品Ｇ２と小型物品Ｇ１とが互いに積み重ねられる可能性をさらに低減することができる。
【００２９】
なお、本実施形態における大型物品Ｇ２とは、ボックス本体１０の幅方向のサイズが間隔Ｗ以上であって、ボックス本体１０の長さ方向（図中Ｙ方向）のサイズが、延在部１６の後端とボックス本体１０の背面側の内側面との距離Ｌ以上の物品をいう。また、本実施形態における小型物品Ｇ１とは、大型物品Ｇ２以外の物品をいう。さらに、大型物品２は、本発明の「所定のサイズ以上のサイズを有する物品」の一例である。
【００３０】
また、図３に示すように、延在部１６は、ボックス本体１０の長さ方向（図中Ｙ方向）中央部Ｃよりも投入口１１側に設けられてもよい。この場合、例えば、延在部がボックス本体１０の背面側に設けられている場合と比較して、大型物品Ｇ２の投入方向における後端側を容易に支持することが可能になるので、大型物品Ｇ２と小型物品Ｇ１とが互いに積み重ねられる可能性をより低減することができる。
【００３１】
さらに、図３に示すように、延在部１６は、上端が、投入口１１の下端部から物品の投入方向に延びる面Ｓ以下に位置するように設けられてもよい。この場合、延在部１６が、ボックス本体１０内に投入されている物品の進路上の障害物となるのを抑制することができるので、物品をボックス本体１０内にスムーズに投入することができる。
【００３２】
以上のように構成された物品収受装置の作用の一例について図４を参照して説明する。
【００３３】
先ず、図４（ａ）に示すように、ボックス本体１０内に複数（図の例では３つ）の小型物品Ｇ１が積み重ねられている場合を想定する。次に、図４（ｂ）に示すように、大型物品Ｇ２が投入口１１から投入された場合には、大型物品Ｇ２は、ガイドプレート１３の上端側の傾斜面に沿ってボックス本体１０内を進行する。
【００３４】
次いで、図４（ｃ）に示すように、大型物品Ｇ２がボックス本体１０の背面側まで投入されると、大型物品Ｇ２の投入方向先端側（図において右側）は、大型物品Ｇ２の自重によりボックス本体１０内の底面上に降下する。このとき、大型物品Ｇ２の投入方向後端側（図において左側）は延在部１６によって支持されており、これにより、大型物品Ｇ２は、投入方向に向かって下方に傾斜するようにボックス本体１０内に収容される。
【００３５】
次に、図４（ｄ）に示すように、小型物品Ｇ１が投入口１１から投入された場合には、小型物品Ｇ１は、延在部１６によって支持されないことから、傾斜支持された大型物品Ｇ２の下方のスペースに収容される。これにより、大型物品Ｇ２と小型物品Ｇ１とが互いに積み重ねられるのを抑制することができる。
【００３６】
上述したように、本実施形態の物品収受装置によれば、所定のサイズ以上のサイズを有する物品（大型物品Ｇ２）がボックス本体１０内に投入された場合には、大型物品Ｇ２は、投入方向後端側が延在部１６に支持されることによって、投入方向に向かって下方に傾斜するように収容される。また、大型物品Ｇ２の収容後に小型物品Ｇ１が投入された場合には、投入された小型物品Ｇ１は、延在部１６に支持されることなく、傾斜支持された大型物品Ｇ２の下方のスペースに収容される。したがって、ボックス本体１０の幅方向に延在する柱状の延在部１６を設けたことによって、大型物品Ｇ２と小型物品Ｇ１とが互いに積み重ねられる可能性を低減することができるので、ボックス本体１０内に投入された物品が積み重ねられたことに起因して投入物品の盗難が発生するのを容易に抑制することができる。
【００３７】
また、本実施形態の物品収受装置によれば、例えば小型物品Ｇ１を投入するためのスリット等を別途設ける必要がないので、製造コストの増大を抑制することができる。さらに、本実施形態の物品収受装置によれば、上述したように、大型物品Ｇ２によって投入口１１が閉塞されていないので、大型物品Ｇ２の投入後に別の物品を投入することが可能である。
【００３８】
以下、上述した実施形態の変形例について説明する。
【００３９】
〔変形例１〕
上記実施形態では、一対の延在部１６が、ボックス本体１０の幅方向両端側の内側面に設けられている場合を一例として説明したが、この場合に限られない。例えば、図５（ａ）に示すように、一対の延在部１６ａがボックス本体１０の上面側から吊り下げられるように設けられてもよいし、図５（ｂ）に示すように、一対の延在部１６ｂがボックス本体１０の底面側から支持されるように設けられてもよい。この場合においても、上記実施形態と同様の作用効果が得られる。
【００４０】
〔変形例２〕
上記実施形態では、延在部１６が、ボックス本体１０の幅方向に間隔をおいて対向するようにボックス本体１０の幅方向両端側に設けられた一対の突起状に形成されている場合を一例として説明したが、この場合に限られない。例えば、図６（ａ）〜（ｃ）に示すように、延在部１６ｃ，１６ｄ，１６ｅは、ボックス本体１０内の幅方向両端側に亘って連続して延在するように設けられてもよい。また、延在部１６ｃは、ボックス本体１０内の幅方向両端側の内側面に取り付けられてもよいし、図６（ｂ）に示すように、延在部１６ｄは、幅方向両端側がボックス本体１０の上面側から吊り下げられるように設けられてもよいし、図６（ｃ）に示すように、延在部１６ｅは、幅方向両端側がボックス本体１０の底面側から支持されるように設けられてもよい。この場合においても、上記実施形態と同様の作用効果が得られる。
【００４１】
なお、本変形例における大型物品Ｇ２とは、ボックス本体１０の長さ方向（図中Ｙ方向）のサイズが、延在部１６の後端とボックス本体１０の背面側の内側面との距離Ｌ以上の物品をいう。
【００４２】
〔変形例３〕
上記実施形態では、一対の延在部１６各々の長手方向がボックス本体１０の幅方向となるように各延在部１６を設けた場合を一例として説明したが、この場合に限られない。例えば、図７に示すように、一対の柱状の延在部１６ｆを、その長手方向がボックス本体１０の高さ方向（図中Ｚ方向）となるように（つまり、各延在部１６ｆの短手側がボックス本体１０の幅方向に延在するように）、各延在部１６ｆを設けてもよい。ここで、各延在部１６ｆは、ボックス本体１０の高さ方向に亘って太さが変化するように形成されてもよい。この場合においても、上記実施形態と同様の作用効果が得られる。
【００４３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【産業上の利用可能性】
【００４４】
上述したような本発明の物品収受装置は、投入物品の盗難を容易に抑制することができ、セキュリティの高い物品収受装置として有用であることから、その産業上の利用可能性は極めて大きい。
【符号の説明】
【００４５】
１０…ボックス本体
１１…投入口
１２…開閉蓋
１３…ガイドプレート
１４…取出口
１５…取出蓋
１６，１６ａ，１６ｂ，１６ｃ，１６ｄ，１６ｅ，１６ｆ…延在部
Ｇ１…小型物品
Ｇ２…大型物品
【図１】
2017113192.tif 000003
【図２】
2017113192.tif 000004
【図３】
2017113192.tif 000005
【図４】
2017113192.tif 000006
【図５】
2017113192.tif 000007
【図６】
2017113192.tif 000008
【図７】
2017113192.tif 000009
【図８】
2017113192.tif 000010